(57)【要約】【課題】棒状化粧料を収納するカートリッジ体を交換するに当たって、突出したままの棒状化粧料を自動的にカートリッジ体内に収納するものである。【解決手段】カートリッジ体(９)において、棒状化粧料(７)を保持する芯チャック(１６)に一体に形成される繰り出し機構(１１)を、回転自在であって、内壁面に雌ネジ溝(１３)を溝設する雌ネジ筒(１２)と、スプリング(２０)を外装すると共にこの雌ネジ筒(１２)の雌ネジ溝(１３)に遊嵌する雄ネジ部(１８)を突設する押筒体(１５)から成るものとすることで、回転筒(２)に立設する嵌着棒(３)の押筒体内への挿嵌により、押筒体が径外方向へ拡開され、雄ネジ部と雌ネジ溝とが遊嵌して押筒体を前進可能とし、又回転筒の抜出により両者の遊嵌が解かれ押筒体が閉成し、圧縮されていたスプリングの弾撥力により押筒体を元の位置に戻すので、棒状化粧料は常にカートリッジ体内に自動的に収納される。【選択図】図４
2005329177.tif 000002
【特許請求の範囲】
【請求項１】
内部に棒状化粧料を収納するカートリッジ体と、このカートリッジ体に収納される棒状化粧料を出没させるべく該カートリッジ体に回転自在に装着される回転筒からなる化粧料容器であって、
該回転筒は、外周にローレットを配設する回転伝達部を有する嵌着棒を、その内部に立設し、
該カートリッジ体には、棒状化粧料を保持する芯チャックが繰り出し機構とその先端側において一体となって内装され、    
該繰り出し機構は、その内壁面に雌ネジ溝を螺旋状に溝設すると共に、後端部内周には上記回転筒の嵌着棒の回転伝達部外周に配設するローレットに噛合するローレットを内設してなる雌ネジ筒と、先端に棒状化粧料を保持する芯チャックを一体に形成するものであって、その後端部外周においては、互いに対向する位置にスリットを配置した上で、前記雌ネジ筒の雌ネジ溝に噛合する雄ネジ部を突設すると共に、後端部内周には前記嵌着棒と当接自在となる突起が配設され、更にその外周面には一端をカートリッジ体内壁面に当接するスプリングを装着してなる筒状の押筒体とからなるものとし、
該カートリッジ体を該回転筒に対して挿脱することで、前記嵌着棒と押筒体後端部内周に設けられた突起との当接を自在として、該押筒体を内方より径方向外側又はその逆方向へ拡開又は閉成させて、カートリッジ体内に内装される該雌ネジ筒の雌ネジ溝に対する該押筒体の雄ネジ部を噛合自在としてなる化粧料容器。
【発明の詳細な説明】
【技術分野】
【０００１】
この発明は、アイライナー、アイシャドー、口紅等の棒状化粧料を出没自在に収納してなる化粧料容器に関するものである。
【背景技術】
【０００２】
従来、アイライナー、アイシャドー、口紅等の棒状化粧料の化粧料容器は、多数の色に対応できるように、内蔵する繰り出し機構によって該棒状化粧料を出没自在に収納するとともに、それ自体ホルダー体（回転筒）に対して脱着自在であるカートリッジ体と、該カートリッジ体に一体に装着されるホルダー体（回転筒）から構成されるものが一般的である。そして、該カートリッジ体内に内蔵される繰り出し機構としては、例えば、カートリッジ筒内に形成する螺旋体の雌ネジ部に対して、固形化粧料を保持する芯チャックに雄ネジ部を突設し、該カートリッジ筒内の螺旋体の雌ネジ部に対して芯チャックに突設する雄ネジ部を遊嵌した上で、該カートリッジ体を挿嵌するホルダー体を回動させることにより、固形化粧料を保持する芯チャックをカートリッジ筒内に形成する螺旋体の雌ネジ部に沿って前進或いは後退させ、該芯チャックに保持される固形化粧料をカートリッジ体から出没させてなるものがある。
【特許文献１】特開平７−２０４０３０号公報
【０００３】
ところで、上記化粧料容器は、棒状化粧料をカートリッジ体から出没させるにあたって、化粧料容器内に収納されている棒状化粧料の出没を雄ネジと雌ネジとの噛合を利用しているものである。従って、一旦カートリッジ体から棒状化粧料を突出させると、この棒状化粧料は芯チャックを介して、該芯チャックと一体に突設される雄ネジ部と、該雄ネジ部と常時噛合する雌ネジ筒とにより突出したままの状態で支持されることとなる。そのため、このままの状態でカートリッジ体をホルダー体から引き抜いても、該棒状化粧料はカートリッジ体から突出したままであり、この突出したままの棒状化粧料は周囲を汚損したり、また該棒状化粧料の折損を生じる恐れがある。つまり、使用者にとっては、突出したままの状態となる棒状化粧料による不具合を防止するためにも、該棒状化粧料を、交換の度毎に事前にカートリッジ体内に収納する必要がある。
【０００４】
しかしながら、例えば複数の色の化粧料を同時に塗布するため短時間で複数のカートリッジ体の交換が必要となる場合において、カートリッジ体を交換する度毎に、突出する棒状化粧料をカートリッジ体内に収納しなければならないとすると、棒状化粧料を収納するに当たって多くの時間が必要となる。このことは、使用者にとって非常に煩わしいものであって、この使用者に与える煩わしさが棒状化粧料を突出したままのカートリッジ体を放置する原因となって、周囲の汚損や棒状化粧料の折損を招く原因となるものである。
【発明の開示】
【発明が解決しようとする課題】
【０００５】
解決しようとする問題点は、化粧料容器を構成するカートリッジ体において、一旦カートリッジ体外に突出した棒状化粧料が、カートリッジ体を交換する際に突出したままの状態であるという点である。
【課題を解決するための手段】
【０００６】
そのため、カートリッジ体と回転筒からなり、該回転筒は、外周にローレットを配設する回転伝達部を有する嵌着棒をその内部に立設し、該カートリッジ体には、棒状化粧料を保持する芯チャックが繰り出し機構とその先端側において一体となって内装され、該繰り出し機構は、その内壁面に雌ネジ溝を螺旋状に溝設すると共に、後端部内周には上記回転筒の嵌着棒の回転伝達部外周に配設するローレットに噛合するローレットを内設してなる雌ネジ筒と、先端に棒状化粧料を保持する芯チャックを一体に形成するものであって、その後端部外周においては、互いに対向する位置にスリットを配置した上で、前記雌ネジ筒の雌ネジ溝に噛合する雄ネジ部を突設すると共に、後端部内周には前記嵌着棒と当接自在となる突起が配設され、更にその外周面には一端をカートリッジ体内壁面に当接するスプリングを装着してなる筒状の押筒体とからなる化粧料容器であって、該カートリッジ体を該回転筒に対して挿脱することで、前記嵌着棒と押筒体後端部内周に設けられた突起との当接を自在として、該押筒体を内方より径方向外側又はその逆方向へ拡開又は閉成させて、カートリッジ体内に内装される該雌ネジ筒の雌ネジ溝に対する該押筒体の雄ネジ部を噛合自在とすることにより、回転筒の回転に応じて棒状化粧料をカートリッジ体に対して出没自在とするとともに、カートリッジ体を該回転筒から抜出することにより、カートリッジ体から突出した棒状化粧料を自動的にカートリッジ体内に収納させるものである。
【発明の効果】
【０００７】
この発明の化粧料容器は、カートリッジ体を回転筒内から抜出することにより、突出したままの棒状化粧料が自動的にカートリッジ体内に収納されるものであるから、多数のカートリッジ体の交換を短時間で終了させることができ、また交換の際にカートリッジ体より突出したままの棒状化粧料の収納を迅速且つ容易に行えるものであるので、周囲を汚損したり、棒状化粧料を折損してしまう等の不具合を確実に防止できる優れた効果を有するものである。
【実施例１】
【０００８】
図１において示すのは、この発明の実施例である化粧料容器（１）である。この化粧料容器（１）は、内部に棒状化粧料（１７）を出没自在に収納するカートリッジ体（９）と、このカートリッジ体（９）に収納する棒状化粧料（１７）を出没自在とするべく該カートリッジ体（９）に対して回転自在に装着される回転筒（２）からなるものである。
【０００９】
そして、上記化粧料容器（１）を構成する該回転筒（２）は、外周にローレット（５）を配設する回転伝達部（４）を中間に有する嵌着棒（３）を内部に立設するものである。
【００１０】
一方、該カートリッジ体（９）は、内部に繰り出し機構（１１）を内装するカートリッジ基部（１０）と、先端に開口部（２２）を有すると共に、該繰り出し機構（１１）と一体に形成される芯チャック（１６）に保持された棒状化粧料（１７）を該開口部（２２）より出没自在としてなるように収納するカートリッジ先部（２１）とから構成されるものである。    
ここで、該カートリッジ基部（１０）内部に内装される繰り出し機構（１１）は、回転自在に内装されるものであって、その内壁面には雌ネジ溝（１３）を螺旋状に溝設すると共に、後端部内周には上記回転筒（２）の嵌着棒（３）の回転伝達部（４）外周に配設するローレット（５）に噛合するローレット（１４）を内設してなる雌ネジ筒（１２）と、棒状化粧料（１７）を保持する芯チャック（１６）を先端側において一体に形成するものであって、その後端部外周においては、互いに対向する位置にスリット（２４）を配置した上で〔図８（イ）参照〕、前記雌ネジ筒（１２）の雌ネジ溝（１３）に噛合する雄ネジ部（１８）を突設すると共に、後端部内周には回転筒（２）より立設される嵌着棒（３）と当接自在となる突起（１９）が配設され、更にその外周面にスプリング（２０）を装着してなる筒状の押筒体（１５）とからなるものである。そして、該スプリング（２０）の一端はカートリッジ先部（２１）内部の後端側に設けられた段部（２１ａ）に、又、他端は押筒体（１５）の雄ネジ部（１８）より先端側に設けられた係止突起（１５ａ）にそれぞれ係合しており、前記雌ネジ筒（１２）の雌ネジ溝（１３）に押筒体（１５）の雄ネジ部（１８）が噛合しつつ、雄ネジ部（１８）が回転した際にも、雌ネジ筒（１２）及び押筒体（１５）と干渉しない位置並びに大きさに設定されている。
つまり、カートリッジ体（９）を回転筒（２）に対して挿入すると、前記嵌着棒（３）が押筒体（１５）後端部内周に設けられた突起（１９）と当接して押勢することによってスリット（２４）が押し広げられて、押筒体（１５）を内方より径方向外側へ拡開し〔図８（ロ）参照〕、カートリッジ基部（１０）内に内装される雌ネジ筒（１２）の雌ネジ溝（１３）に対して、押筒体（１５）の雄ネジ部（１８）を噛合させるものである。その結果、回転筒（２）の回転に応じて雄ネジ部（１８）を雌ネジ溝（１３）に沿って摺動自在として、芯チャック（１６）に保持された棒状化粧料（１７）を、カートリッジ先部（２１）の開口部（２２）より出没自在とするものである。一方、カートリッジ体（９）を回転筒（２）より抜き取ると、押筒体（１５）の突起（１９）に対する嵌着棒（３）の当接が解除されることにより、前記押筒体（１５）の径方向外側への拡開が解除されて閉成し、雄ネジ部（１８）の雌ネジ筒（１２）の雌ネジ溝（１３）に対する噛合も解除される。その際、カートリッジ先部（２１）の開口部（２２）より棒状化粧料（１７）が突出していた場合には、押筒体（１５）外周面に装着されたスプリング（２０）の弾撥力により、押筒体（１５）が後端側へ摺動され、棒状化粧料（１７）はカートリッジ先部（２１）内に収納されることとなる。
【００１１】
なお、この発明の実施例である化粧料容器（１）を構成するカートリッジ体（９）のカートリッジ基部（１０）内に内蔵される繰り出し機構（１１）においては、押筒体（１５）と、その先端において棒状化粧料（１７）を保持する芯チャック（１６）とが一個のものとして形成されている。ところが、このように繰り出し機構（１１）と棒状化粧料（１７）を保持する芯チャック（１６）とを一個のものとして形成すると、この化粧料容器（１）が携行時の激しい振動や落下時の激しい衝撃を受けたとき、芯チャック（１６）に保持された棒状化粧料（１７）が繰り出し機構（１１）を中心とした振動運動を発生しやすくなり、その結果、棒状化粧料（１７）は該振動による応力の集中又は化粧料容器（１）の内壁面に打ち付けられることで、欠けや折損等の不具合を起こしてしまうものである。そこで、たとえ化粧料容器（１）が上記携行時の激しい振動や落下時の激しい衝撃を受けたとしても、カートリッジ体（９）内に収納される棒状化粧料（１７）が繰り出し機構（１１）を中心とした振動運動を起こすことなく、カートリッジ体（９）の特にカートリッジ先部（２１）と一体となって該振動や衝撃を受け止めて、棒状化粧料（１７）の欠けや折損等の不具合を防止できるようにすることもできる。
即ち、図７（イ）において示すように、棒状化粧料（１７）を保持する芯チャック（１６’）と繰り出し機構（１１）とを別個のものとして、一体に遊嵌して連結するものである。つまり、芯チャック（１６’）後端には弾性を以て拡開自在となる鏃状の係合部（１６’ａ）を一体に形成すると共に、繰り出し機構（１１）の押筒体（１５’）の先端には、該芯チャック（１６’）の係合部（１６’ａ）が着脱自在に遊嵌される円筒状の被係合部（１５’ａ）を形成した上で、該係合部（１６’ａ）と被係合部（１５’ａ）とを、軸方向及び径方向に揺動自在となるように、被係合部（１５’ａ）に孔を設けて空間（２３）を形成しつつ、互いに遊嵌することで一体に連結するものであっても良いものである。このように、押筒体（１５）と芯チャック（１６）とを一個のものとして形成するものではなく、棒状化粧料（１７）を保持する芯チャック（１６’）と押筒体（１５’）とを別個のものとした上で、改めて軸方向及び径方向に揺動自在となるように空間を形成しつつ互いに遊嵌して一体に連結するものとすることで、化粧料容器（１）が携行時の激しい振動や落下時の激しい衝撃を受けた結果、棒状化粧料（１７）が繰り出し機構（１１）を中心とした振動運動を発生しようとしても、該棒状化粧料（１７）を保持する芯チャック（１６’）と繰り出し機構（１１）からなる連結部に形成される空間（２３）により、互いに連結する両者は、相互に独立して軸方向乃至径方向に自由に揺動するものとなる〔図７（ロ）及び（ハ）参照。〕。従って棒状化粧料（１７）を保持する芯チャック（１６’）においては、繰り出し機構（１１）を中心として発生する振動運動が十分に緩和され、かつ棒状化粧料（１７）を保持した芯チャック（１６’）と繰り出し機構（１１）とは独立した動作をするものとなる。この結果、該芯チャック（１６’）に保持される棒状化粧料（１７）はカートリッジ先部（２１）と一体となって、その全体で振動や衝撃を受け止めることができるようになり、こられに起因した棒状化粧料（１７）の欠けや折損等を防止することもできる。
【００１２】
また、この発明の実施例である化粧料容器を構成する回転筒（２）内には、脱着自在となるキャップ（６）により形成される空間（７）内において、皮膚等に塗布した化粧料をボカシたりするために使用されるスポンジ体（８）を収納するものであっても良いものである。
【００１３】
この発明の実施例である化粧料容器（１）は以上の構成を具えるので、使用者がこの化粧料容器（１）を使用するに当たってカートリッジ体（９）に回転筒（２）を一体に装着すると、次のようにして化粧料容器（１）をとして使用に供することができるものとなる。
即ち、まず該カートリッジ体（９）を回転筒（２）に対して挿嵌すると、該回転筒（２）において立設される嵌着棒（３）がカートリッジ基部（１０）内に内蔵される繰り出し機構（１１）の押筒体（１５）内に挿入されることとなる。更に、該押筒体（１５）内に挿入された嵌着棒（３）は、該押筒体（１５）内に配設された突起（１９）と当接することにより、該押筒体（１５）を径外方向に押勢し、スリット（２４）により拡開させるものである。そのため、押筒体（１５）後端部外周に突設する雄ネジ部（１８）は、カートリッジ基部（１０）内に回転自在に内装される雌ネジ筒（１２）の内壁面に螺旋状に溝設された雌ネジ溝（１３）に対して遊嵌するものとなる。
このとき、同時に該回転筒（２）に立設された嵌着棒（３）の回転伝達部（４）のローレット（５）が、雌ネジ筒（１２）後端部内周に内設するローレット（１４）と係合するので、芯チャック（１６）は繰り出し機構（１１）を介して回転筒（２）とは一体に連結するものである。
【００１４】
そこで、使用者が、カートリッジ体（９）に一体に装着される回転筒（２）を回転させると、まず回転筒（２）が回転するにつれ、その回転力は、該回転筒（２）内に立設する嵌着棒（３）の回転伝達部（４）から、その外周に配設するローレット（５）並びにそれと互いに噛合する雌ネジ筒（１２）の後端内周に内設するローレット（１４）を介して伝達され、雌ネジ筒（１２）を回転させることとなる。次に回転する雌ネジ筒（１２）は、該雌ネジ筒（１２）の内壁面に溝設する雌ネジ溝（１３）と遊嵌する、押筒体（１５）後端外周に突設された雄ネジ部（１８）に対して回転力を伝達する。このため、該雌ネジ溝（１３）に遊嵌される雄ネジ部（１８）は、該雌ネジ溝（１３）に沿って誘導されつつ先端方向へ前進する。従って、この雌ネジ筒（１２）の雌ネジ溝（１３）に沿って雄ネジ部（１８）が誘導されて前進することで、この雄ネジ部（１８）を突設させた押筒体（１５）は、外周面に装着するスプリング（２０）を圧縮しながら前進することとなる。従って、該押筒体（１５）と一体に形成される芯チャック（１６）に保持された棒状化粧料（１７）は、カートリッジ体（９）、即ちカートリッジ先部（２１）の開口部（２２）より突出するものとなって、使用者は化粧を行えるようになるものである〔図６（イ）乃至（ハ）参照。〕。
【００１５】
また、カートリッジ先部（２１）の開口部（２２）より、その内部に収納する棒状化粧料（１７）を突出させたままでカートリッジ体（９）を交換しようとする時には、次のようになるものである。まず、使用者がカートリッジ体（９）を回転筒（２）から抜出すると、この回転筒（２）に立設されている嵌着棒（３）も押筒体（１５）内部から同時に抜出されるものである。又、嵌着棒（３）の回転伝達部（４）の外周に配設するローレット（５）と、雌ネジ筒（１２）の後端内周に内設するローレット（１４）との噛合も解かれるものとなる。
従って、該押筒体（１５）を、内方から突起（１９）を介して押勢していた回転筒（２）の嵌着棒（３）がなくなることになる。つまり、嵌着棒（３）と該嵌着棒（３）が当接する突起（１９）により径外方向に拡開していた押筒体（１５）は、再び径内方向へ閉成して、互いに遊嵌していた押筒体（１５）の雄ネジ部（１８）と雌ネジ筒（１２）の雌ネジ溝（１３）は互いに自由となり得るものである。
その結果、押筒体（１５）がカートリッジ体（９）内を前進するために圧縮していたスプリング（２０）が反発して伸長することとなるので、押筒体（１５）は該スプリング（２０）の弾撥力によりカートリッジ体（９）内を自動的に後退するものとなる。
そして同時に、押筒体（１５）と一体に形成されている芯チャック（１６）も同様に後退することとなるので、該芯チャック（１６）に保持された棒状化粧料（１７）はカートリッジ体（９）内に没入し、収納されるものであるので、突出したままの棒状化粧料（１７）により周囲を汚損したり、棒状化粧料（１７）の欠けや折損等の不具合を防止することができるようになる。
【産業上の利用可能性】
【００１６】
突出したままの棒状化粧料を繰り出し機構によって収納してなるあらゆる化粧料容器に対して適用することができる。
【図面の簡単な説明】
【００１７】
【図１】この発明の実施例である化粧料容器の正面図である。
【図２】この発明の実施例である化粧料容器の部分断面図である。
【図３】この発明の実施例である化粧料容器を構成するカートリッジ体の正面図である。
【図４】その拡大縦断面図である。
【図５】その横断面図である。
【図６】この発明の実施例である化粧料容器の作動状態を示す模式図である。
【図７】この発明の実施例である化粧料容器に使用するその他の芯チャックと押筒体の作動状態を示した図である。
【図８】押筒体における（イ）要部拡大断面図、（ロ）嵌着棒の挿脱時の模式図を示すものである。
【符号の説明】
【００１８】
１    化粧料容器
２    回転筒
３    嵌着棒
４    回転伝達部
５    ローレット
６    キャップ
７    空間
８    スポンジ体
９    カートリッジ体
１０    カートリッジ基部
１１    繰り出し機構
１２    雌ネジ筒
１３    雌ネジ溝
１４    ローレット
１５、１５’  押筒体
１５ａ  係止突起
１５’ａ      被係合部
１６、１６’  芯チャック
１６’ａ      係合部
１７    棒状化粧料
１８    雄ネジ部
１９    突起
２０    スプリング
２１    カートリッジ先部
２１ａ  段部
２２    開口部
２３    空間
２４    スリット
【図１】
2005329177.tif 000003
【図２】
2005329177.tif 000004
【図３】
2005329177.tif 000005
【図４】
2005329177.tif 000006
【図５】
2005329177.tif 000007
【図６】
2005329177.tif 000008
【図７】
2005329177.tif 000009
【図８】
2005329177.tif 000010